(57)【要約】【課題】  レーザ光が外部に漏れることを確実に防止できる電子機器を提供する。【解決手段】  本発明は、光源制御手段によって制御されるレーザ発光器を筐体内部に有し、レーザ発光器を制御する光源制御手段を備えた電子機器であって、開口部を筐体の壁面に密接させることにより内部を暗室空間とする容器体271と、該容器体の内部に収納された光センサ46と、を備え、光源制御手段は、容器体271内に収納された光センサ46が光を検知した場合にレーザ発光器の電源を強制的に切断し、また、光センサ46が光を検知している間、レーザ発光器の電源切断状態を維持するために、光センサ46と光源制御手段とがインターロック回路として構成されている。【選択図】    図４
2011075896.tif 000002
【特許請求の範囲】
【請求項１】
レーザ発光器を筐体内部に有し、前記レーザ発光器を制御する光源制御手段を備えた電子機器において、
開口部を前記筐体における所定の壁面の内側に密接させることにより内部を暗室空間とする容器体と、該容器体の内部に収納された光センサと、を備え、
前記光源制御手段は、前記容器体内に収納された光センサが光を検知した場合に前記レーザ発光器の光出力を制御することを特徴とする電子機器。
【請求項２】
前記容器体は、前記筐体内における前記所定の壁面以外の他の壁面の内側に密接するように固定されていることを特徴とする請求項１に記載の電子機器。
【請求項３】
前記所定の壁面は、前記筐体における開閉可能とされたパネルであることを特徴とする請求項１又は請求項２に記載の電子機器。
【請求項４】
前記容器体は、５枚の遮光板が箱型形状に組み合わされて形成され、前記開口部が前記筐体の所定の壁面によって塞がれることにより密閉空間としての暗室が形成されるように前記筐体内に配置されていることを特徴とする請求項１乃至請求項３のいずれかに記載の電子機器。
【請求項５】
前記光源制御手段は、前記光センサが光を検知したときに前記レーザ発光器の電源を切断することを特徴とする請求項１乃至請求項４のいずれかに記載の電子機器。
【請求項６】
前記光源制御手段は、前記光センサが光を検知したときに前記レーザ発光器の光出力が減衰するように制御することを特徴とする請求項１乃至請求項４のいずれかに記載の電子機器。
【請求項７】
前記光センサが光を検知したときに本体の主電源を切断する本体電源制御手段を備えることを特徴とする請求項１乃至請求項６のいずれかに記載の電子機器。
【請求項８】
前記光センサが光を検知している間前記レーザ発光器の電源切断状態を維持するように、前記光センサと前記光源制御手段とがインターロック回路として構成されていることを特徴とする請求項１乃至請求項７のいずれかに記載の電子機器。
【請求項９】
プロジェクタ筐体と、該プロジェクタ筐体内に収納される、レーザ発光器を有した光源ユニットと、光源側光学系と、ライトトンネル等の導光光学系と、表示素子と、投影側光学系と、を備え、光源制御手段等のプロジェクタ制御手段を有したプロジェクタにおいて、
開口部を前記プロジェクタ筐体の所定の壁面に密接させることにより内部を暗室空間とする容器体と、該容器体の内部に収納された光センサと、を備え、
前記光源制御手段は、前記容器体内に収納された光センサが光を検知した場合に前記レーザ発光器の電源を強制的に切断することを特徴とするプロジェクタ。
【請求項１０】
前記容器体は、前記プロジェクタ筐体内における前記所定の壁面以外の部分に固定されていることを特徴とする請求項９に記載のプロジェクタ。
【請求項１１】
前記所定の壁面は、前記プロジェクタ筐体における開閉可能とされたパネルであることを特徴とする請求項９又は請求項１０に記載のプロジェクタ。
【請求項１２】
前記光源制御手段は、前記光センサが光を検知したときに前記レーザ発光器の電源を切断することを特徴とする請求項９乃至請求項１１のいずれかに記載のプロジェクタ。
【請求項１３】
前記光源制御手段は、前記光センサが光を検知したときに前記レーザ発光器の光出力が減衰するように制御することを特徴とする請求項９乃至請求項１１のいずれかに記載のプロジェクタ。
【請求項１４】
前記容器体は、５枚の遮光板が箱型形状に組み合わされて形成され、前記開口部が前記プロジェクタ筐体の所定の壁面によって塞がれることにより密閉空間としての暗室が形成されるように前記プロジェクタ筐体内に配置されていることを特徴とする請求項９乃至請求項１３のいずれかに記載のプロジェクタ。
【請求項１５】
前記光センサが光を検知したときに本体の主電源を切断する本体電源制御手段を備えることを特徴とする請求項９乃至請求項１４のいずれかに記載のプロジェクタ。
【請求項１６】
前記光センサが光を検知している間は前記レーザ発光器の電源切断状態を維持するように、前記光センサと前記光源制御手段とがインターロック回路として構成されていることを特徴とする請求項９乃至請求項１５のいずれかに記載のプロジェクタ。
【発明の詳細な説明】
【技術分野】
【０００１】
本発明は、レーザ発光器を備えた電子機器及びプロジェクタに関する。
【背景技術】
【０００２】
今日、パーソナルコンピュータの画面やビデオ画像、さらにメモリカード等に記憶されている画像データによる画像等をスクリーンに投影する画像投影装置としてのデータプロジェクタが多用されている。このプロジェクタは、光源から射出された光をＤＭＤ（デジタル・マイクロミラー・デバイス）と呼ばれるマイクロミラー表示素子、又は、液晶板に集光させ、スクリーン上にカラー画像を表示させる。
【０００３】
このようなプロジェクタにおいて、従来は高輝度の放電ランプを光源とするものが主流であったが、近年、光源装置の発光素子として発光ダイオード（ＬＥＤ）やレーザ発光器（ＬＤ）、あるいは、有機ＥＬ等の半導体発光素子、励起光を吸収して所定波長帯域の光を発光する蛍光体等を用いる種々のプロジェクタの開発や提案がなされている（例えば、特許文献１）。
【０００４】
また、本願出願人は、青色波長帯域光を射出する励起光源としての青色レーザ発光器と、この励起光源からの射出光を受けて所定波長帯域光を射出する蛍光ホイールと、を備えた光源装置の提案を行っている。この提案における蛍光ホイールは、励起光源からの射出光を受けて蛍光発光する蛍光体層が敷設された蛍光発光領域と、励起光源からの射出光を拡散透過する拡散透過板が配置された拡散透過領域と、が周方向に並設されている。
【０００５】
このようなレーザ発光器を用いた電子機器では、レーザ発光器から射出されるレーザ光が位相の揃ったコヒーレント光であるため、直接外部に射出されることを防止する必要がある。また、レーザ光に関しては、安全規格等の法律で基準が定められており（ＪＩＳ  Ｃ  ６８０２−１：２００５）、この安全基準に沿ってレーザ発光器を用いた電子機器を製造する必要がある。
【先行技術文献】
【特許文献】
【０００６】
【特許文献１】特開２００３−２９５３１９号公報
【発明の概要】
【発明が解決しようとする課題】
【０００７】
レーザ発光器から射出されるコヒーレント光を蛍光体によって、あるいは、拡散透過させることによってインコヒーレント光に変換し、このインコヒーレント光を外部に射出する構成とした光源装置では、レーザ光が光源光として直接外部に射出されることはないため、プロジェクタでの画像投影時における安全性を確保することができる。
【０００８】
しかしながら、例えば、修理のために技術者がプロジェクタ筐体の所定のパネルを取り外した場合、あるいは、開閉パネルを開いた場合、若しくは、プロジェクタを落下させたことによってプロジェクタ筐体が変形した場合等に、レーザ発光器からの射出光が直接外部に射出される可能性があった。
【０００９】
従来のプロジェクタにおける安全設計では、プロジェクタ筐体の所定のパネルが外れていること等を検知するために、検知用のプッシュスイッチを設置し、このプッシュスイッチがＯＦＦ状態、つまり、伸張しているときにはプロジェクタの電源がＯＦＦとなるようにインターロック回路を構成していた。しかしながら、プッシュスイッチで筐体のパネル等の状況を検出する構成では、プッシュスイッチのストローク分の変形が必要となる。よって、所定のパネルを外した場合にはストローク分のタイムラグが発生し、外部にレーザ光が漏れる可能性があった。また、落下等によってプロジェクタ筐体が変形した場合にはストローク以内の変形ではインターロック回路が働かず、僅かな隙間からレーザ光が漏れる可能性があるという問題点があった。
【００１０】
本発明は、このような従来技術の問題点に鑑みてなされたものであり、プロジェクタ筐体の異常を検知するために光センサを使用し、プロジェクタ筐体に生じた異常の検知精度を上げることにより、レーザ光が外部に漏れることを確実に防止できる電子機器、及び、電子機器としてのプロジェクタを提供することを目的とする。
【課題を解決するための手段】
【００１１】
本発明の電子機器は、レーザ発光器を筐体内部に有し、前記レーザ発光器を制御する光源制御手段を備えた電子機器であって、開口部を前記筐体における所定の壁面の内側に密接させることにより内部を暗室空間とする容器体と、該容器体の内部に収納された光センサと、を備え、前記光源制御手段は、前記容器体内に収納された光センサが光を検知した場合に前記レーザ発光器の光出力を制御することを特徴とする。
【００１２】
また、本発明の電子機器において、前記容器体は、前記筐体内における前記所定の壁面以外の他の壁面の内側に密接するように固定されていることを特徴とする。
【００１３】
さらに、本発明の電子機器において、前記所定の壁面は、前記筐体における開閉可能とされたパネルとされることもある。
【００１４】
また、本発明の電子機器において、前記容器体は、５枚の遮光板が箱型形状に組み合わされて形成され、前記開口部が前記筐体の所定の壁面によって塞がれることにより密閉空間としての暗室が形成されるように前記筐体内に配置されていることを特徴とする。
【００１５】
そして、本発明の電子機器において、前記光源制御手段は、前記光センサが光を検知したときに前記レーザ発光器の電源を切断することを特徴とする。
【００１６】
また、本発明の電子機器において、前記光源制御手段は、前記光センサが光を検知したときに前記レーザ発光器の光出力が減衰するように制御することもある。
【００１７】
さらに、本発明の電子機器は、前記光センサが光を検知したときに本体の主電源を切断する本体電源制御手段を備えることを特徴とする。
【００１８】
また、本発明の電子機器において、前記光センサが光を検知している間前記レーザ発光器の電源切断状態を維持するように、前記光センサと前記光源制御手段とがインターロック回路として構成されていることを特徴とする。
【００１９】
本発明のプロジェクタは、プロジェクタ筐体と、該プロジェクタ筐体内に収納される、レーザ発光器を有した光源ユニットと、光源側光学系と、ライトトンネル等の導光光学系と、表示素子と、投影側光学系と、を備え、光源制御手段等のプロジェクタ制御手段を有したプロジェクタであって、開口部を前記プロジェクタ筐体の所定の壁面に密接させることにより内部を暗室空間とする容器体と、該容器体の内部に収納された光センサと、を備え、前記光源制御手段は、前記容器体内に収納された光センサが光を検知した場合に前記レーザ発光器の電源を強制的に切断することを特徴とする。
【００２０】
また、本発明のプロジェクタにおいて、前記容器体は、前記プロジェクタ筐体内における前記所定の壁面以外の部分に固定されていることを特徴とする。
【００２１】
さらに、本発明のプロジェクタにおいて、前記所定の壁面は、前記プロジェクタ筐体における開閉可能とされたパネルであることを特徴とする。
【００２２】
また、本発明のプロジェクタにおいて、前記光源制御手段は、前記光センサが光を検知したときに前記レーザ発光器の電源を切断することを特徴とする。
【００２３】
そして、本発明のプロジェクタにおいて、前記光源制御手段は、前記光センサが光を検知したときに前記レーザ発光器の光出力が減衰するように制御することを特徴とする。
【００２４】
また、本発明のプロジェクタにおいて、前記容器体は、５枚の遮光板が箱型形状に組み合わされて形成され、前記開口部が前記プロジェクタ筐体の所定の壁面によって塞がれることにより密閉空間としての暗室が形成されるように前記プロジェクタ筐体内に配置されていることを特徴とする。
【００２５】
さらに、本発明のプロジェクタは、前記光センサが光を検知したときに本体の主電源を切断する本体電源制御手段を備えることを特徴とする。
【００２６】
また、本発明のプロジェクタにおいて、前記光センサが光を検知している間は前記レーザ発光器の電源切断状態を維持するように、前記光センサと前記光源制御手段とがインターロック回路として構成されていることを特徴とする。
【発明の効果】
【００２７】
本発明によれば、プロジェクタ筐体の異常を検知するために光センサを使用し、プロジェクタ筐体に生じた異常の検知精度を上げることにより、レーザ光が外部に漏れることを確実に防止できる電子機器、及び、電子機器としてのプロジェクタを提供する。
【図面の簡単な説明】
【００２８】
【図１】本発明の実施例に係るプロジェクタを示す外観斜視図である。
【図２】本発明の実施例に係るプロジェクタの機能回路ブロック図である。
【図３】本発明の実施例に係るプロジェクタの内部構造を示す平面模式図である。
【図４】本発明の実施例に係るプロジェクタにおける筐体異常検知手段の機能を説明する説明図である。
【発明を実施するための形態】
【００２９】
以下、本発明を実施するための形態について述べる。本発明のプロジェクタ10は、プロジェクタ筐体と、該プロジェクタ筐体内に収納される、レーザ発光器を有した光源ユニット60と、光源側光学系140と、ライトトンネル等の導光光学系170と、表示素子51と、投影側光学系220と、を備え、光源制御手段等のプロジェクタ制御手段を有する。
【００３０】
このプロジェクタ10は、開口部をプロジェクタ筐体の所定の壁面に密接させることにより内部を暗室空間とする容器体271と、容器体271の内部に収納された光センサ46と、を備えている。そして、この光源制御手段は、容器体271内に収納された光センサ46が光を検知した場合にレーザ発光器の電源を強制的に切断する。
【００３１】
また、容器体271は、プロジェクタ筐体内においてプロジェクタ筐体における所定の壁面以外の部分に固定されている。つまり、容器体271は、５枚の遮光板が箱型形状に組み合わされて形成され、開口部分がプロジェクタ筐体の所定の壁面によって塞がれることにより密閉空間としての暗室が形成されるようにプロジェクタ筐体内に配置されている。さらに、所定の壁面は、プロジェクタ筐体における開閉可能とされたパネルである。
【００３２】
そして、本発明のプロジェクタ10では、光センサ46が光を検知している間、レーザ発光器の電源切断状態を維持するように、光センサ46と光源制御手段とがインターロック回路として構成されている。
【実施例】
【００３３】
以下、本発明の実施例を図に基づいて詳説する。図１は、プロジェクタ10の外観斜視図である。なお、本実施例において、左右とは投影方向に対しての左右方向を示し、前後とはプロジェクタ10のスクリーン側方向及び光線束の進行方向に対しての前後方向を示す。
【００３４】
そして、プロジェクタ10は、図１に示すように、略直方体形状であって、本体ケースの前方の側板とされる正面パネル12の側方に投影口を覆うレンズカバー19を有するとともに、この正面パネル12には複数の吸気孔18を設けている。さらに、正面パネル12には、図示しないがリモートコントローラからの制御信号を受信するＩｒ受信部が取り付けられている。
【００３５】
また、本体ケースである上面パネル11にはキー／インジケータ部37が設けられ、このキー／インジケータ部37には、電源スイッチキーや電源のオン又はオフを報知するパワーインジケータ、投影のオン、オフを切りかえる投影スイッチキー、光源装置や表示素子又は制御回路等が過熱したときに報知をする過熱インジケータ等のキーやインジケータが配置されている。また上面パネル11は、プロジェクタ筐体の上面と左側面の一部までを覆っており、故障時等には上面パネル11を開閉できるように開閉パネルとして構成されている。
【００３６】
さらに、本体ケースの背面には、背面パネルにＵＳＢ端子や画像信号入力用のＤ−ＳＵＢ端子、Ｓ端子、ＲＣＡ端子等を設ける入出力コネクタ部及び電源アダプタプラグ等の各種端子20が設けられている。なお、図示しない本体ケースの側板である右側パネル、及び、図１に示したプロジェクタ筐体の左側面の下部近傍には、各々複数の排気孔17が形成されている。なお、プロジェクタ筐体の左側面は、上述した上面パネル11と底面パネルが合わさって形成されている。
【００３７】
次に、プロジェクタ10のプロジェクタ制御手段について図２のブロック図を用いて述べる。プロジェクタ制御手段は、制御部38、入出力インターフェース22、画像変換部23、表示エンコーダ24、表示駆動部26等から構成され、入出力コネクタ部21から入力された各種規格の画像信号は、入出力インターフェース22、システムバス（ＳＢ）を介して画像変換部23で表示に適した所定のフォーマットの画像信号に統一するように変換された後、表示エンコーダ24に出力される。
【００３８】
また、表示エンコーダ24は、入力された画像信号をビデオＲＡＭ25に展開記憶させた上でこのビデオＲＡＭ25の記憶内容からビデオ信号を生成して表示駆動部26に出力する。
【００３９】
表示駆動部26は、表示素子制御手段として機能するものであり、表示エンコーダ24から出力された画像信号に対応して適宜フレームレートで空間的光変調素子（ＳＯＭ）である表示素子51を駆動するものであり、光源ユニット60から射出された光線束を光源側光学系を介して表示素子51に照射することにより、表示素子51の反射光で光像を形成し、後述する投影側光学系220を介して図示しないスクリーンに画像を投影表示する。なお、この投影側光学系220の可動レンズ群235は、レンズモータ45によりズーム調整やフォーカス調整のための駆動が行われる。
【００４０】
また、画像圧縮伸長部31は、再生モード時にメモリカード32に記録された画像データを読み出し、一連の動画を構成する個々の画像データを１フレーム単位で伸長し、この画像データを画像変換部23を介して表示エンコーダ24に出力し、メモリカード32に記憶された画像データに基づいて動画等の表示を可能とする処理を行なう。
【００４１】
制御部38は、プロジェクタ10内の各回路の動作制御を司るものであって、制御手段としてのＣＰＵや、各種セッティング等の動作プログラムを固定的に記憶したＲＯＭ、ワークメモリとして使用されるＲＡＭ等により構成されている。なお、このＲＯＭは、光源制御情報記憶手段としても機能する。
【００４２】
本体ケースの上面パネル11に設けられるメインキー及びインジケータ等により構成されるキー／インジケータ部37の操作信号は、直接に制御部38に送出され、リモートコントローラからのキー操作信号は、Ｉｒ受信部35で受信され、Ｉｒ処理部36で復調されたコード信号が制御部38に出力される。
【００４３】
なお、制御部38にはシステムバス（ＳＢ）を介して音声処理部47が接続されている。この音声処理部47は、ＰＣＭ音源等の音源回路を備えており、投影モード及び再生モード時には音声データをアナログ化し、スピーカ48を駆動して拡声放音させる。
【００４４】
また、制御部38は、光源制御手段としての光源制御回路41を制御しており、この光源制御回路41は、画像生成時に要求される所定波長帯域光が光源ユニット60から射出されるように、光源ユニット60を制御する。この光源ユニット60は、レーザ発光器を備えた青色光源装置70と、後述の蛍光ホイール101を備えた蛍光発光装置100と、赤色光源装置120と、を備える。
【００４５】
そして、制御部38は、光センサ46とも接続されており、この光センサ46は、プロジェクタ筐体の上面パネル11等が外された場合、あるいは、落下によって筐体が変形した場合におけるプロジェクタ筐体の内部に入光した外光や、光源ユニット60からの射出光を検知して制御部38に検知信号を送出するとともに、光源制御回路41に検知信号を送出する。光源制御回路41は、光センサ46から検知信号を受信すると、光源ユニット60への電源供給を強制的に停止させることにより、青色光源装置70や赤色光源装置120の点灯を停止させる。
【００４６】
この光センサ46と光源制御回路41による安全回路は、インターロック回路として構成されており、光センサ46が光を検知している間は、制御部38から光源点灯の制御信号が送出された場合であっても光源を停止させたままとする。なお、光センサ46が光を検知した場合に、プロジェクタ本体の電源をＯＦＦにする回路構成とすることもできる。
【００４７】
さらに、制御部38は、冷却ファン駆動制御回路43に光源ユニット60等に設けた複数の温度センサによる温度検出を行わせ、この温度検出の結果から冷却ファンの回転速度を制御させている。また、制御部38は、冷却ファン駆動制御回路43にタイマー等によりプロジェクタ本体の電源ＯＦＦ後も冷却ファンの回転を持続させる、あるいは、温度センサによる温度検出の結果によってはプロジェクタ本体の電源をＯＦＦにする等の制御も行う。
【００４８】
次に、このプロジェクタ10の内部構造について述べる。図３は、プロジェクタ10の内部構造を示す平面模式図である。プロジェクタ10は、図３に示すように、右側パネル14の近傍に制御回路基板241を備えている。この制御回路基板241は、電源回路ブロックや光源制御ブロック等を備えてなる。また、プロジェクタ10は、制御回路基板241の側方、つまり、プロジェクタ筐体の略中央部分に光源ユニット60を備えている。
【００４９】
さらに、プロジェクタ10は、光源ユニット60とプロジェクタ筐体の左側面との間に光学系ユニット160を備えている。なお、光源ユニット60や光学系ユニット160の上方、つまり、光源ユニット60や光学系ユニット160と上面パネル11との間には、図示しないがＣＰＵ等を備えた主制御回路基板が配置されている。
【００５０】
光源ユニット60は、プロジェクタ筐体の左右方向における略中央部分であって背面パネル13近傍に配置される青色光源装置70と、この青色光源装置70から射出される光線束の光軸上であって正面パネル12の近傍に配置される蛍光発光装置100と、青色光源装置70と蛍光発光装置100との間に配置される赤色光源装置120と、蛍光発光装置100からの射出光や赤色光源装置120からの射出光の光軸が同一の光軸となるように変換する光源側光学系140と、を備える。
【００５１】
青色光源装置70は、青色レーザ発光器とする複数の青色光源71と、青色光源71からの射出光を平行光に変換するコリメータレンズ73と、コリメータレンズ73を透過した光の光軸を正面パネル12方向に９０度変換する反射ミラー群75と、反射ミラー群75で反射した青色光源71からの射出光を集光する集光レンズ78と、を備え、青色光源71と右側パネル14との間にはヒートシンク81が配置されている。
【００５２】
そして、青色光源装置70のヒートシンク81と背面パネル13との間には冷却ファン261が配置されており、この冷却ファン261とヒートシンク81によって青色光源71が冷却される。さらに、反射ミラー群75と背面パネル13との間にも冷却ファン261が配置されており、この冷却ファン261によって反射ミラー群75や集光レンズ78が冷却される。
【００５３】
蛍光発光装置100は、正面パネル12と平行となるように、つまり、青色光源装置70からの射出光の光軸と直交するように配置された蛍光ホイール101と、この蛍光ホイール101を回転駆動するホイールモータ110と、蛍光ホイール101から背面パネル13方向に射出される光線束を集光する集光レンズ群111と、蛍光ホイール101から正面パネル12方向に射出される光線束を集光する集光レンズ115と、を備える。
【００５４】
この蛍光ホイール101は、青色光源装置70からの射出光を励起光として緑色波長帯域の蛍光光を射出する緑色蛍光発光領域と、青色光源装置70からの射出光を拡散透過する拡散透過領域と、が周方向に並設されてなる。また、緑色蛍光発光領域における蛍光ホイール101の背面パネル13側の表面は、銀蒸着等によってミラー加工されており、このミラー加工された表面に帯状の緑色蛍光体層が敷設されている。さらに、拡散透過領域における蛍光ホイール101の表面は、サンドブラスト等によって微細凹凸が形成されている。
【００５５】
そして、蛍光ホイール101の緑色蛍光体層に照射された青色光源装置70からの射出光は、緑色蛍光体層における緑色蛍光体を励起し、緑色蛍光体から全方位に蛍光発光された光は、直接背面パネル13側へ、あるいは、蛍光ホイール101の表面で反射した後に背面パネル13側へ射出され、集光レンズ群111に入射する。また、蛍光ホイール101の拡散透過領域に照射された青色光源装置70からの射出光は、微細凹凸によって拡散された拡散透過光として集光レンズ115に入射する。なお、ホイールモータ110と正面パネル12との間には冷却ファン261が配置されており、この冷却ファン261によって蛍光ホイール101が冷却される。
【００５６】
赤色光源装置120は、青色光源ユニット72と光軸が平行となるように配置された赤色光源121と、赤色光源121からの射出光を集光する集光レンズ群125と、を備える。そして、この赤色光源装置120は、青色光源装置70からの射出光及び蛍光ホイール101から射出される緑色波長帯域光と光軸が交差するように配置されている。また、赤色光源121は、赤色発光ダイオード等の固体発光素子とされている。さらに、赤色光源装置120は、赤色光源121の右側パネル14側に配置されるヒートシンク130を備える。そして、ヒートシンク130と正面パネル12との間には冷却ファン261が配置されており、この冷却ファン261によって赤色光源121が冷却される。
【００５７】
そして、光源側光学系140は、赤色、緑色、青色波長帯域の光線束を集光させる集光レンズや、各色波長帯域の光線束の光軸を変換して同一の光軸とさせる反射ミラー、ダイクロイックミラー等からなる。具体的には、青色光源装置70から射出される青色波長帯域光及び蛍光ホイール101から射出される緑色波長帯域光と、赤色光源装置120から射出される赤色波長帯域光と、が交差する位置に、青色及び赤色波長帯域光を透過し、緑色波長帯域光を反射してこの緑色光の光軸をプロジェクタの左側面方向に９０度変換する第一ダイクロイックミラー141が配置されている。
【００５８】
また、蛍光ホイール101を拡散透過した青色波長帯域光の光軸上、つまり、集光レンズ115と正面パネル12との間には、青色波長帯域光を反射してこの青色光の光軸をプロジェクタ筐体の左側面方向に９０度変換する第一反射ミラー143が配置されている。さらに、第一反射ミラー143で反射した青色波長帯域光の光軸上であって光学系ユニット160の近傍には、この青色光の光軸を背面パネル13方向に９０度変換する第二反射ミラー145が配置されている。
【００５９】
また、第一ダイクロイックミラー141を透過した赤色波長帯域光の光軸及びこの光軸と一致するように第一ダイクロイックミラー141により反射された緑色波長帯域光の光軸と、第二反射ミラー145で反射した青色波長帯域光の光軸とが交差する位置には、青色波長帯域光を透過し、赤色及び緑色波長帯域光を反射してこれら赤色及び緑色光の光軸を背面パネル13方向に９０度変換する第二ダイクロイックミラー148が配置されている。そして、ダイクロイックミラーや反射ミラーの間には、夫々集光レンズが配置されている。
【００６０】
光学系ユニット160は、青色光源装置70の左側方に位置する照明側ブロック161と、プロジェクタ筐体の背面パネル13と左側面とが交差する位置の近傍に位置する画像生成ブロック165と、光源側光学系140と左側面との間に位置する投影側ブロック168と、の３つのブロックによって略コの字状に構成されている。
【００６１】
この照明側ブロック161は、光源ユニット60から射出された光源光を画像生成ブロック165が備える表示素子51に導光する導光光学系170の一部を備えている。この照明側ブロック161が有する導光光学系170としては、光源ユニット60から射出された光線束を均一な強度分布の光束とするライトトンネル175や、このライトトンネル175の入射面に光源光を集光する集光レンズ173、ライトトンネル175から射出された光を集光する集光レンズ178、ライトトンネル175から射出された光線束の光軸を画像生成ブロック165方向に変換する光軸変換ミラー181等がある。
【００６２】
画像生成ブロック165は、導光光学系170として、光軸変換ミラー181で反射した光源光を表示素子51に集光させる集光レンズ183と、この集光レンズ183を透過した光線束を表示素子51に所定の角度で照射する照射ミラー185と、を有している。さらに、画像生成ブロック165は、表示素子51とするＤＭＤを備え、この表示素子51と背面パネル13との間には表示素子51を冷却するためのヒートシンク190が配置されて、このヒートシンク190によって表示素子51が冷却される。また、表示素子51の正面近傍には、投影側光学系220としての集光レンズ195が配置されている。
【００６３】
投影側ブロック168は、表示素子51で反射されたオン光をスクリーンに放出する投影側光学系220のレンズ群を有している。この投影側光学系220としては、固定鏡筒に内蔵する固定レンズ群225と可動鏡筒に内蔵する可動レンズ群235とを備えてズーム機能を備えた可変焦点型レンズとされ、レンズモータにより可動レンズ群235を移動させることによりズーム調整やフォーカス調整を可能としている。
【００６４】
そして、プロジェクタ筐体内の略左右中央部分であって正面パネル12及び背面パネル13の近傍には、上述した光センサ46が収納された容器体271が配置されている。この容器体271は、正面パネル12及び背面パネル13の上端近傍に固定されている、あるいは、正面パネル12及び背面パネル13の近傍位置において冷却ファン261や各種光学系を避けるように底面パネルに取付部材を介して固定されている。
【００６５】
この容器体271は、５枚の遮光板が所定の一面を開口とするように組み合わされた箱型形状である。つまり、容器体271は、４枚の遮光板が方形状の断面となるように対向する端辺が夫々接続され、開口となる２面のうちで所定の一面を遮光板で塞ぐことにより、各遮光板が密閉された箱型形状とされている。
【００６６】
そして、容器体271は、閉じられた状態でのプロジェクタ筐体の上面パネル11により開口面とされた一面が塞がれている。つまり、容器体271は、開口部分が組み上がった状態のプロジェクタ筐体の上面パネル11で塞がれることにより、密閉空間としての暗室がプロジェクタ筐体内において形成されるようにプロジェクタ筐体内に配置されている。
【００６７】
このように、一面を開口とした容器体271を、開口された一面がプロジェクタ筐体の上面パネル11によって遮光されて内側が密閉空間とされるようにプロジェクタ筐体内に配置し、この容器体271内に光センサ46を配置した構成とすることにより、例えば、プロジェクタ10の修理を行うときに上面パネル11を開くと、図４に示すように、密閉空間の上面が開放されて外光や光源ユニット60からの射出光が容器体271内に入光し、光センサ46にこれらの光が照射されることとなる。
【００６８】
そして、光センサ46に光が照射されると、上述したように、光源制御手段としての光源制御回路41が光源ユニット60の発光、特にレーザ光源である青色光源71の点灯を停止するため、レーザ光が外部に漏れることを防止できる。つまり、容器体271と光センサ46は、プロジェクタ筐体に生じた異常、つまり、筐体のパネル等が取り外された、あるいは、変形したことを検知する筐体異常検知手段として機能する。
【００６９】
従来の安全設計では、光センサ46の代わりにプッシュスイッチを設けていたが、このプッシュスイッチでは、上面パネル11を外した場合にはプッシュスイッチがＯＦＦとなるまでにストローク分のタイムラグが発生し、このタイムラグによってレーザ光が外部に漏れる可能性があった。また、プロジェクタ筐体が変形した場合には、プッシュスイッチのストロークを超えるような変形をしなければ安全スイッチが働かず、外部にレーザ光が漏れる可能性があった。
【００７０】
しかし、本実施例のプロジェクタ10では、容器体271内に光センサ46を設けて、この光センサ46を安全スイッチとして機能させることにより、容器体271に僅かな光でも入光すれば自動で青色光源71が消灯するため、安全スイッチの精度を上げることができる。なお、本実施例では、容器体271の上面を開閉可能な上面パネル11で遮光する構成としているが、他のパネルが開閉可能に形成されている場合には、容器体271の開口部分を開閉可能なパネルで塞ぐことにより、パネルが開いたときにレーザ光が外部に漏れ出すことを防止できる。
【００７１】
なお、本実施例で述べたような、容器体271と光センサ46を筐体異常検知手段として筐体内に配置し、筐体の異常を検知するとレーザ発光器への電源の供給を強制的に切断する構成は、プロジェクタ10に限らずレーザ発光器を備えたあらゆる電子機器で用いることができる。
【００７２】
本実施例のプロジェクタ10によれば、プロジェクタ筐体内に暗室を形成するように容器体271を配置して、この容器体271の内部に光センサ46を収納し、光センサ46が光を検知した場合に強制的にレーザ発光器の電源を切断する構成とすることにより、筐体に僅かな変形が生じた場合であっても異常を検知し、レーザ発光器の点灯を停止させることができるため、レーザ光が外部に漏れることを確実に防止でき、安全性に富むプロジェクタ10を提供できる。
【００７３】
また、容器体271が、プロジェクタ筐体内において容器体271の開口を塞ぐ所定の壁面以外の部分に固定されていることにより、この所定の壁面が開いた場合等に容器体271の開口部が開放されることとなり、また、所定の一面が閉じた場合には再び暗室を形成できるため、安全スイッチを光センサ46と容器体271から形成できることとなる。
【００７４】
そして、容器体271の開口を塞ぐ所定の壁面を開閉可能なパネル部分とすることにより、修理等でパネルを開いた場合に外部にレーザ光が漏れ出すことを防止できることとなる。
【００７５】
また、容器体271を５枚の遮光板を箱型形状に組み合わせて形成することにより、開口部以外の面から容器体271内に光が入ることを防止できるため、プロジェクタ筐体の所定の壁面と容器体271との間で完全な暗室を形成することができる。なお、容器体271は、箱型形状に限るものではなく、円筒形状や半球形状等、あらゆる形状とすることができる。
【００７６】
また、筐体異常検知手段の光センサ46が光を検知している間は、レーザ発光器の電源切断状態を維持する、つまり、インターロック回路として筐体異常検知手段及び光源制御手段による安全回路を構成することにより、プロジェクタ筐体のパネルが外れたままレーザ発光器等が点灯することを防止できる。
【００７７】
なお、本実施例では、筐体異常検知手段で筐体の異常を検知した場合に光源制御手段で光源に対する電源の供給を強制的に切断する構成としているが、筐体異常検知手段で筐体の異常を検知した場合に、電子機器やプロジェクタの本体の電源を制御する本体電源制御手段が本体の電源を強制的に切断する構成とすることもできる。
【００７８】
また、本実施例では、筐体異常検知手段で筐体の異常を検知した場合に光源制御手段で光源に対する電源の供給を強制的に切断する構成としているが、筐体異常検知手段で筐体の異常を検知した場合に、光源の出力を減衰させるものとしてもよい。この場合、光源から出力される光は、人体に害を及ぼさない程度に光量が減衰された光であることが望ましい。
【００７９】
また、本実施例では、光センサ46はプロジェクタの筐体の所定の壁面に設置されることとして記載してきたが、これに限らず、例えば光源であるレーザ発光器を格納する光源ユニットを形成する壁面に設けられていてもよい。このような光源ユニットとすることで、プロジェクタに限らず、光源室が開けられたことを光センサ46が感知して、レーザ発光器の出力を切断或いは減衰させることができる。
【００８０】
このように、筐体異常検知手段で筐体の異常を検知した場合に本体の電源を強制的に切断する構成とすることにより、電源回路による感電等を防止することもでき、より安全性に富む電子機器及びプロジェクタ10を提供できることとなる。
【００８１】
なお、本発明は、以上の実施例に限定されるものでなく、発明の要旨を逸脱しない範囲で自由に変更、改良が可能である。
【符号の説明】
【００８２】
10   プロジェクタ                    11   上面パネル
12   正面パネル                      13   直接背面パネル
13   背面パネル                      14   右側パネル
17   排気孔
18   吸気孔                          19   レンズカバー
20   各種端子                        21   入出力コネクタ部
22   入出力インターフェース          23   画像変換部
24   表示エンコーダ                  25   ビデオＲＡＭ
26   表示駆動部                      31   画像圧縮伸長部
32   メモリカード                    35   Ｉｒ受信部
36   Ｉｒ処理部                      37   キー／インジケータ部
38   制御部                          41   光源制御回路
43   冷却ファン駆動制御回路          45   レンズモータ
46   光センサ                        47   音声処理部
48   スピーカ                        51   表示素子
60   光源ユニット                    70   青色光源装置
71   青色光源                        72   青色光源ユニット
73   コリメータレンズ                75   反射ミラー群
78   集光レンズ                      81   ヒートシンク
100  蛍光発光装置                    101  蛍光ホイール
110  ホイールモータ                  111  集光レンズ群
115  集光レンズ                      120  赤色光源装置
121  赤色光源                        125  集光レンズ群
130  ヒートシンク                    140  光源側光学系
141  第一ダイクロイックミラー        143  第一反射ミラー
145  第二反射ミラー                  148  第二ダイクロイックミラー
160  光学系ユニット                  161  照明側ブロック
165  画像生成ブロック                168  投影側ブロック
170  導光光学系                      173  集光レンズ
175  ライトトンネル                  178  集光レンズ
181  光軸変換ミラー                  183  集光レンズ
185  照射ミラー                      190  ヒートシンク
195  集光レンズ                      220  投影側光学系
225  固定レンズ群                    235  可動レンズ群
241  制御回路基板                    261  冷却ファン
271  容器体
【図１】
2011075896.tif 000003
【図２】
2011075896.tif 000004
【図３】
2011075896.tif 000005
【図４】
2011075896.tif 000006